【手続補正書】
【提出日】平成16年12月21日(2004.12.21)
【手続補正１】
【補正対象書類名】特許請求の範囲
【補正対象項目名】全文
【補正方法】変更
【補正の内容】
【特許請求の範囲】
【請求項１】
各々一つ以上の字母またはコントロールが割り当てられた複数のボタンを有するキーパッドでの字母入力方法において、
（ａ）字母が割り当てられたボタンの選択を認識する段階、および
（ｂ）２回以上のボタンが選択された場合、特定言語において組合せの不可能な字母の組合せを除いて、組合せの可能な字母の組合せを利用してターゲット単語を認識する段階を含むことを特徴とするキーパッドでの字母入力方法。
【請求項２】
前記２回以上のボタン選択が、同一のボタンに対する選択であることを特徴とする請求項１記載のキーパッドでの字母入力方法。
【請求項３】
前記キーパッドのボタンは、子音が割り当てられた子音ボタンと、母音が割り当てられた母音ボタンとが分離されていることを特徴とする請求項１記載のキーパッドでの字母入力方法。
【請求項４】
前記ターゲット単語が日本語であり、前記段階（ｂ）は
ローマ字母を利用して日本語を入力する場合、“ｋ”、“ｓ”、“ｔ”、“ｐ”を除いては同一のローマ字母の子音が連続して出る場合がない言語制限を利用して前記ターゲット単語を認識することを特徴とする請求項１、２または３記載のキーパッドでの字母入力方法。
【請求項５】
前記字母ボタンは、ローマ字母を利用する言語を入力することであり、
母音“ａ”と“ｉ”は、同一の母音ボタンに割り当てられないことを特徴とする請求項１、２または３記載のキーパッドでの字母入力方法。
【請求項６】
前記字母ボタンは、ローマ字母を利用する言語を入力することであり、
母音“ｅ”と“ｉ”は、同一の母音ボタンに割り当てられないことを特徴とする請求項１、２または３記載のキーパッドでの字母入力方法。
【請求項７】
各々一つ以上のローマ字母またはコントロールが割り当てられた複数のボタンを有するキーパッドでの字母入力方法において
前記キーパッドのボタンは、各々一つ以上の子音が割り当てられた一つ以上の子音ボタンと、各々一つ以上の母音が割り当てられた一つ以上の母音ボタンとが分離されており、
前記字母入力方法は、
前記子音ボタンまたは前記母音ボタンの選択を感知する段階、および
前記ボタンの選択に対応してターゲット単語を認識する段階
を含むキーパッドでの字母入力方法。
【請求項８】
前記子音ボタンまたは母音ボタンは、字母の発音の類似性に基づいて子音または母音を割り当てたことを特徴とする請求項７記載のキーパッドでの字母入力方法。
【請求項９】
前記子音ボタンまたは母音ボタンは、ローマ字母を利用する言語を入力することであり、
母音“ａ”と“ｉ”は、同一の母音ボタンに割り当てられないことを特徴とする請求項７または８記載のキーパッドでの字母入力方法。
【請求項１０】
前記子音ボタンまたは母音ボタンは、ローマ字母を利用する言語を入力することであり、
母音“ｅ”と“ｉ”は、同一の母音ボタンに割り当てられないことを特徴とする請求項７または８記載のキーパッドでの字母入力方法。
【請求項１１】
各々一つ以上の字母またはコントロールが割り当てられた複数のボタンを有するキーパッドでの字母入力方法において、
（ａ）抽出しようとするシンプルコードの類型を判断する段階、
（ｂ）入力された語句を認識する段階、および
（ｃ）前記認識された語句から所定類型のシンプルコードを抽出する段階
を含むキーパッドでの字母入力方法。
【請求項１２】
前記抽出しようとするシンプルコードの類型が音節基準のイニシャルコードであり、
前記（ｃ）段階で前記認識された語句から音節を分離し、分離された音節からシンプルコードを抽出することを特徴とする請求項１１記載のシンプルコード抽出方法。
【請求項１３】
各々一つ以上の字母またはコントロールが割り当てられた複数のボタンを有するキーパッドでの字母入力方法において、
（ａ）字母が割り当てられたボタンの選択を認識する段階、
（ｂ）２回以上のボタンが選択された場合、特定言語の言語制限の特性に基づいて選択されたボタンが生成する字母の組合わせが、組合わせが可能な字母であるか否かをを判断する段階、および
（ｃ）前記段階（ｂ）の判断結果、組合わせが不可能なボタンの組合わせであると判断された場合、入力ボタン値をシンプルコードに処理する段階
を含むことを特徴とするキーパッドでの字母入力方法。
【請求項１４】
前記段階（ｃ）は
選択されたボタンに対応する字母の組合わせを認識する段階、
索引に保存された語句から前記認識された字母の組合せに対応する字母の組合わせを抽出する段階、および
前記認識された字母の組合わせと前記抽出された字母の組合わせとを比較してシンプルコードに処理する段階を含むことを特徴とする請求項１３記載のキーパッドでの字母入力方法。
【請求項１５】
前記段階（ｃ）で入力ボタン値に対応する語句が索引にない場合、入力値を既に定義された所定のフルコードに処理することを特徴とする請求項１４記載のキーパッドでの字母入力方法。
【請求項１６】
前記言語制限の特性は、字母入力にローマ字母を利用する言語の言語制限の特性であり、単語の最初に“ｓｔ...”、“ｓｐ...”で始まる場合を除いては３個以上の子音が連続して出ない性質を利用して、入力値をシンプルコードまたはフルコードに処理することを特徴とする請求項１３、１４または１５記載のキーパッドでの字母入力方法。
【請求項１７】
各々一つ以上の字母またはコントロールが割り当てられた複数のボタンを有するキーパッドでの字母入力方法において、
字母が割り当てられたボタンの選択を認識する段階、
前記ボタン選択回数を計算する段階、および
前記ボタン選択回数が所定回数の以下であれば、シンプルコードに処理し、前記ボタン選択回数が所定回数より多ければ、フルコードに処理する段階
を含むキーパッドでの字母入力方法。
【請求項１８】
各々一つ以上の字母またはコントロールが割り当てられた複数のボタンを有するキーパッドでの字母入力方法において、
（ａ）シンプルコードの入力を認識する段階、および
（ｂ）索引に既に保存された字母の組合わせと前記入力されたシンプルコードから認識された字母の組合わせとを比較して、シンプルコードを処理する段階
を含むキーパッドでの字母入力方法。
【請求項１９】
各々一つ以上の字母またはコントロールが割り当てられた複数のボタンを有するキーパッドでの字母入力方法において、
（ａ）シンプルコードの入力を認識する段階、
（ｂ）所定のシンプルコードを基準として索引に保存された語句からシンプルコードに対応する字母の組合わせを抽出する段階、および
（ｃ）抽出された字母の組合わせと前記入力されたシンプルコードから認識された字母の組合わせとを比較して、シンプルコードを処理する段階
を含む、キーパッドでの字母入力方法。
【請求項２０】
各々一つ以上の字母またはコントロールが割り当てられた複数のボタンを有するキーパッドでの字母入力方法において、
前記キーパッドのボタンは、一つ以上の子音が割り当てられた一つ以上の子音ボタンと、一つ以上の母音が割り当てられた一つ以上の母音ボタンとが分離されており、
（ａ）シンプルコードの入力を認識する段階、および
（ｂ）所定のシンプルコードを基準として索引に既に保存されたシンプルコードと前記入力されたシンプルコードとを比較して、シンプルコードに対応する語句を認識する段階
を含むキーパッドでの字母入力方法。
【請求項２１】
各々一つ以上の字母が記載されている複数の字母ボタン、および各々定義された特定機能を遂行するための複数のコントロールボタンを含む複数のボタンを有するキーパッドでの字母入力方法において、
（ａ）第１コントロールボタンの選択を認識する段階、
（ｂ）前記段階（ａ）の以後に選択される第２コントロールボタンの選択を認識する段階、および
（ｃ）前記（ｂ）段階で認識された第２コントロールボタンの入力を、既に定義された前記第２コントロールボタンの機能とは異なる所定の機能を有するコントロールに処理する段階
を含むことを特徴とするキーパッドでの字母入力方法。